(57)【要約】  周波数分割多重ネットワークにおける方法は、ハンドオフを促すために、周波数分割多重方式に加えてスペクトル拡散通信を使用する。通信リソース全体の内の一部は、拡散スペクトル周波数分割多重信号について指定される。基地局及び移動局間の通信は、ハンドオフの場合、予約され指定された部分の通信リソースブロックにより行われ、拡散スペクトル周波数分割信号を使用する。ハンドオフを受ける基地局は、その通信リソースブロックを介して既に通信が行われていたとしても、通信はスペクトル拡散により符号化されているので、その通信リソースブロックにより通信することができる。
2011526439.tif 000002
【特許請求の範囲】
【請求項１】
装置によって実行される方法であって、
a．ソフトハンドオフの期間でない場合に、複数のサブキャリア成分を有する周波数分割多重信号である第1の信号を送信し、
b．ソフトハンドオフの期間において、複数のサブキャリア成分を有する拡散スペクトル周波数分割多重信号である第2の信号を、複数の周波数サブキャリアにより送信するステップ
を有する方法。
【請求項２】
前記第2の信号が、拡散符号により逆拡散可能である、請求項1記載の方法。
【請求項３】
前記第2の信号が、前記第1の信号より広い帯域幅を占める、請求項2記載の方法。
【請求項４】
第1のデータストリングから前記第1の信号を生成し、第2のデータストリングから前記第2の信号を生成している、請求項2記載の方法。
【請求項５】
前記第2の信号を生成する際、前記拡散コードを前記第2のデータストリングに適用する、請求項4記載の方法。
【請求項６】
前記第2の信号を生成する際、前記拡散コード及びスクランブリングコードを前記第2のデータストリングに適用する、請求項5記載の方法。
【請求項７】
前記第1及び第2のデータストリング双方が同じ送信元から送信される、請求項4記載の方法。
【請求項８】
前記第1及び第2のデータストリングが、順方向誤り訂正符号化されたデータストリングである、請求項4記載の方法。
【請求項９】
前記第2の信号が通信リソースブロックにより送信され、該通信リソースブロックが、
a．第2の複数の周波数サブキャリア、及び
b．少なくとも1つのタイムスロット
の内の少なくとも一方により規定されている、請求項2記載の方法。
【請求項１０】
前記第1の信号及び前記第2の信号が、同じ移動局宛である、請求項9記載の方法。
【請求項１１】
前記ソフトハンドオフの期間において、前記移動局が遠隔局から第3の信号を受信する、請求項10記載の方法。
【請求項１２】
前記第3の信号が、前記拡散コードにより拡散された拡散スペクトル周波数分割多重信号であり、前記通信リソースブロックにより送信される、請求項11記載の方法。
【請求項１３】
前記通信リソースブロックが、少なくとも1つの周波数サブキャリアを含む、請求項9記載の方法。
【請求項１４】
前記通信リソースブロックが、少なくとも1つのタイムスロットを含む、請求項13記載の方法。
【請求項１５】
前記通信リソースブロックが、一群の通信リソースブロックの中から選択された第1の通信リソースブロックであり、該一群の通信リソースブロック内の通信リソースブロック各々は、
a．少なくとも1つの周波数サブキャリア、及び
b．少なくとも1つのタイムスロット
の内の少なくとも一方により規定されている、請求項9記載の方法。
【請求項１６】
利用可能な通信リソース全体に属する前記一群の通信リソースブロックによっては占められていない利用可能な通信リソース全体のゾーンに属する通信リソースにより、前記第1の信号が送信される、請求項15記載の方法。
【請求項１７】
前記一群の通信リソースブロック内の通信リソースブロック各々が、少なくとも1つの周波数サブキャリア及び少なくとも1つのタイムスロットの組み合わせにより規定されている、請求項15記載の方法。
【請求項１８】
前記一群の通信リソースブロック内の通信リソースブロック各々が、拡散スペクトル周波数分割多重信号を搬送するように指定されている、請求項15記載の方法。
【請求項１９】
前記一群の通信リソースブロックの中から前記第1の通信リソースブロックをランダムに選択するステップをさらに有する、請求項15記載の方法。
【請求項２０】
前記拡散コードが、拡散コードのプールの中から選択される、請求項2記載の方法。
【請求項２１】
前記拡散コードのプールが、互いに実質的に直交している複数の拡散コードを含む、請求項20記載の方法。
【請求項２２】
前記第1及び第2の信号を受信する宛先へ、前記拡散コードを用いて通信することを指示する命令を送信するステップをさらに有する、請求項2記載の方法。
【請求項２３】
前記拡散コードを用いて通信することを示す命令を受信するステップをさらに有する請求項2記載の方法。
【請求項２４】
前記命令が遠隔基地局から受信される、請求項23記載の方法。
【請求項２５】
前記命令が前記第1及び第2の信号を受信する宛先から受信される、請求項23記載の方法。  
【請求項２６】
前記第2の信号が、前記拡散コードにより拡散された後に第1のスクランブリングコードを用いてスクランブルされたスクランブル信号である、請求項2記載の方法。
【請求項２７】
前記第1の信号が、前記スクランブルコードを用いてスクランブルされた信号である、請求項26記載の方法。
【請求項２８】
前記第1の信号が、前記ソフトハンドオフより前に送信される、請求項1記載の方法。
【請求項２９】
ハンドオフ状態を検出し、該ハンドオフ状態を検出したことに応じてソフトハンドオフを開始するステップをさらに有する、請求項28記載の方法。
【請求項３０】
前記ハンドオフ状態が、ハンドオフするエンティティから受信した情報に基づいて検出される、請求項29記載の方法。
【請求項３１】
前記ハンドオフ状態が、ハンドオフを受けるエンティティから受信した情報に基づいて検出される、請求項29記載の方法。
【請求項３２】
前記第1の信号が、前記ソフトハンドオフより前に送信される、請求項15記載の方法。
【請求項３３】
前記第1の通信リソースブロックを用いて通信する命令を移動局に送信するステップをさらに有する請求項32記載の方法。
【請求項３４】
前記第1の通信リソースブロックを用いて前記移動局と通信する命令を基地局に送信するステップをさらに有する請求項32記載の方法。
【請求項３５】
前記命令が前記スクランブリングコードを示す指標を含む、請求項34記載の方法。
【請求項３６】
前記第1の信号が前記ハンドオフの後に送信される、請求項15記載の方法。
【請求項３７】
前記第1の通信リソースブロックを用いて前記移動局と通信する命令を受信するステップをさらに有する請求項36記載の方法。
【請求項３８】
前記拡散コードを用いて前記移動局と通信する命令を受信するステップをさらに有する請求項37記載の方法。
【請求項３９】
通信ネットワークにおいて使用される装置であって、
a．通信インターフェースと
b．該通信インターフェースにより通信する処理要素と
を有し、前記処理要素は、
i．ソフトハンドオフの期間でない場合に、複数のサブキャリア成分を有する周波数分割多重信号を、前記通信インターフェースに送信させ、
ii．ソフトハンドオフの期間において、複数のサブキャリア成分を有する拡散スペクトル周波数分割多重信号を、前記通信インターフェースに送信させる、装置。
【請求項４０】
請求項39記載の装置を有する基地局。
【請求項４１】
前記通信インターフェースが、移動局との通信に適合したものであり、前記処理要素は、前記周波数分割多重信号及び前記拡散スペクトル周波数分割多重信号を前記移動局に、前記通信インターフェースに送信させる、請求項40記載の基地局。
【請求項４２】
前記処理要素が、前記ソフトハンドオフが行われているか否かを判定し、該ソフトハンドオフが行われていることを確認したことに応答して、前記通信インターフェースに前記拡散スペクトル周波数分割多重信号を送信させる、請求項41記載の基地局。
【請求項４３】
当該基地局が、前記移動局が他の基地局のサービスエリア内にいることを示す指標を前記移動局から受信する受信インターフェースをさらに有し、前記処理要素は、前記移動局が前記他の基地局のサービスエリア内にいることを示す前記指標を受信したことに応答して、前記ハンドオフが行われていることを確認する、請求項42記載の基地局。
【請求項４４】
当該基地局が、一群の通信リソースブロックの識別子を格納する第1のメモリ要素を有し、前記一群の通信リソースの識別子は、前記第1の通信リソースブロックの識別子を含む、請求項40記載の基地局。
【請求項４５】
前記一群の中で指定される通信リソースブロック各々が、拡散スペクトル周波数分割多重信号を用いて通信するように指定されている、請求項44記載の基地局。
【請求項４６】
前記処理要素は、前記第1の通信リソースブロックを用いて前記拡散スペクトル周波数分割多重信号を、前記通信インターフェースに送信させる、請求項44記載の基地局。
【請求項４７】
当該基地局が、前記処理要素が他の基地局と通信するようにするネットワークインターフェースをさらに有し、前記処理要素は、前記ソフトハンドオフの期間において、前記拡散スペクトル周波数分割多重信号を受信する宛先と他の基地局が通信することを示す指標を、前記ネットワークインターフェースに送信させる、請求項46記載の基地局。
【請求項４８】
前記拡散スペクトル周波数分割多重信号を受信する宛先と他の基地局が通信することを示す前記指標が、前記第1の通信リソースブロックを示す、請求項47記載の基地局。
【請求項４９】
前記拡散スペクトル周波数分割多重信号を受信する宛先と他の基地局が通信することを示す前記指標が、該拡散スペクトル周波数分割多重信号を逆拡散するための拡散コードを示す、請求項48記載の基地局。
【請求項５０】
互いに実質的に直交している複数の拡散コードを格納する第2のメモリ要素をさらに有する、請求項40記載の基地局。
【請求項５１】
請求項39記載の装置を有する移動局。
【請求項５２】
装置により実行される方法であって、
a．ソフトハンドオフの前に、複数のサブキャリア成分を有する周波数分割多重信号である第1の信号を受信し、
b．前記ソフトハンドオフの後に、複数のサブキャリア成分を有する周波数分割多重信号である第2の信号を受信し、
c．前記ハンドオフの期間において、複数のサブキャリア成分を有する拡散スペクトル周波数分割多重信号である第3の信号を受信するステップ
を有する方法。
【請求項５３】
前記第3の信号が拡散コードにより逆拡散可能である、請求項52記載の方法。
【請求項５４】
前記第3の信号が、前記第1及び第2の信号より広い帯域幅を占める、請求項53記載の方法。
【請求項５５】
前記第2の信号が通信リソースブロックにより受信され、該通信リソースブロックが、
a．少なくとも1つの周波数サブキャリア、及び
b．少なくとも1つのタイムスロット
の内の少なくとも一方により規定されている、請求項53記載の方法。
【請求項５６】
前記第1の信号が第1のエンティティから受信され、前記第2の信号が第2のエンティティから受信される、請求項55記載の方法。
【請求項５７】
前記第3の信号が前記第1のエンティティから受信され、当該方法が、前記ハンドオフの期間において、複数のサブキャリア成分を有する拡散スペクトル周波数分割多重信号である第4の信号を受信する、請求項56記載の方法。
【請求項５８】
前記第4の信号が、前記第1の通信リソースブロックにより受信される、請求項57記載の方法。
【請求項５９】
前記第1の通信リソースブロックが、少なくとも1つの周波数サブキャリアを有する、請求項58記載の方法。
【請求項６０】
前記第1の通信リソースブロックが、少なくとも1つのタイムスロットを有する、請求項59記載の方法。
【請求項６１】
前記第1の通信リソースブロックが、一群の通信リソースブロックの中から選択されたものであり、該一群の通信リソースブロック内の通信リソースブロック各々は、
a．少なくとも1つの周波数サブキャリア、及び
b．少なくとも1つのタイムスロット
の内の少なくとも一方により規定されている、請求項55記載の方法。
【請求項６２】
利用可能な通信リソース全体に属する前記一群の通信リソースブロックによっては占められていない利用可能な通信リソース全体のゾーンに属する通信リソースにより、前記第1の信号が送信される、請求項61記載の方法。
【請求項６３】
前記一群の通信リソースブロックに属する前記通信リソースブロックの各々が、少なくとも1つの周波数サブキャリア及び少なくとも1つのタイムスロットの組み合わせにより規定されている、請求項61記載の方法。
【請求項６４】
前記一群の通信リソースブロックに属する前記通信リソースブロックの各々が、拡散スペクトル信号用に指定されている、請求項61記載の方法。
【請求項６５】
前記拡散コードが、拡散コードのプールに属している、請求項53記載の方法。
【請求項６６】
前記拡散コードの前記プールが、互いに実質的に直交している複数の拡散コードを含む、請求項65記載の方法。
【請求項６７】
前記拡散コードを示し、前記拡散コードを利用して通信することの命令を受信するステップをさらに有する、請求項53記載の方法。
【請求項６８】
前記第1の信号が、前記スクランブリングコードを用いてスクランブルされたスクランブル信号である、請求項53記載の方法。
【請求項６９】
前記第2の信号が、前記スクランブリングコードを用いてスクランブルされたスクランブル信号である、請求項68記載の方法。
【請求項７０】
前記スクランブルコードを示すブロードキャスト信号を送信するステップをさらに有する、請求項68記載の方法。
【請求項７１】
当該方法が、前記ハンドオフの期間において、複数のサブキャリア成分を有する拡散スペクトル周波数分割多重信号である第4の信号を受信するステップをさらに有し、前記第4の信号は、拡散された後に前記スクランブルコードを用いてスクランブルされたスクランブル信号である、請求項70記載の方法。
【請求項７２】
前記第3の信号が、拡散された後に前記スクランブルコードを用いてスクランブルされたスクランブル信号である、請求項71記載の方法。
【請求項７３】
ハンドオフ状態の存否を判定するステップをさらに有する請求項52記載の方法。
【請求項７４】
前記ハンドオフ状態を示す信号を検出するステップをさらに有する請求項73記載の方法。
【請求項７５】
前記第2のエンティティが検出されたことを示す指標を前記第1のエンティティに送信するステップをさらに有する請求項74記載の方法。
【請求項７６】
前記ハンドオフ状態の存在を確認したことに応答して、ソフトハンドオフを開始するステップをさらに有する請求項73記載の方法。
【請求項７７】
前記第1の信号が第1のエンティティから受信され、前記第2の信号が第2のエンティティから受信され、前記ソフトハンドオフ状態の存否を判定する際に、前記第2のエンティティを検出する、請求項73記載の方法。
【請求項７８】
通信ネットワークにおいて使用される装置であって、
a．信号を受信する入力インターフェースと
b．該入力インターフェースにより通信する処理要素と
を有し、前記処理要素は、
i．ソフトハンドオフの期間でない場合に、前記入力インターフェースにより受信した複数のサブキャリア成分を有する周波数分割多重信号である第1の信号を復調し、
ii．ソフトハンドオフの期間において、前記入力インターフェースにより受信した第2の信号を逆拡散及び復調し、
前記第2の信号は複数のサブキャリア成分を有する拡散スペクトル周波数分割多重信号であり、
前記逆拡散は拡散コードを用いて実行される、装置。
【請求項７９】
前記入力インターフェースが基地局からの信号を受信し、前記移動局が、信号を基地局に送信する送信インターフェースを有する、請求項78記載の装置。
【請求項８０】
前記処理要素が、ソフトハンドオフ状態を検出し、前記ソフトハンドオフ状態を示す基地局に信号を、前記送信インターフェースに送信させる、請求項79記載の装置。
【請求項８１】
当該装置が、スクランブルコードを格納するメモリ要素をさらに有し、前記処理要素が、前記スクランブルコードを識別するブロードキャスト信号を前記送信インターフェースに送信させる、請求項78記載の装置。
【請求項８２】
前記入力インターフェースが、前記拡散コードの指標を受信する、請求項78記載の装置。
【請求項８３】
当該装置が、前記スクランブルコードを格納するメモリ要素をさらに有し、前記処理要素が、前記メモリ要素に前記スクランブルコードを格納する、請求項82記載の装置。
【請求項８４】
一群の通信リソースブロックに属する通信リソースブロックを通じて信号を受信した場合、前記処理要素が、信号を逆拡散及び復調し、該一群の通信リソースブロックに属する通信リソースブロックの各々は、
a．少なくとも1つの周波数サブキャリア、及び
b．少なくとも1つのタイムスロット
の内の少なくとも一方により規定されている、請求項78記載の装置。
【請求項８５】
a．ハンドオフの状態を検出する前に、複数のサブキャリア成分を有する周波数分割多重信号である第1の信号を検出し、
b．ハンドオフの状態を検出し、
c．ハンドオフの状況を検出した後に、複数のサブキャリア成分を有する拡散スペクトル周波数分割多重信号である第2の信号を送信するステップ
を有する方法。
【請求項８６】
前記第2の信号を逆拡散することができる拡散コードを示す指標を含むハンドオフ命令を送信するステップをさらに有する請求項85記載の方法。
【請求項８７】
前記ハンドオフ命令を送信した後に、前記第2の信号を送信するステップをさらに有する、請求項86記載の方法。
【発明の詳細な説明】
【技術分野】
【０００１】
本発明は、周波数分割多重方式のネットワークの技術分野に関連し、特に周波数分割多重方式のネットワークにおけるハンドオフを行うことに関連する。
【背景技術】
【０００２】
通信ネットワークにおいて、ハンドオフは、リモートエンティティ（遠隔局）の通信の制御を或る局から別の局へ移すことである。例えば、複数の基地局のネットワークを含む無線ネットワークにおいて、移動局が、第1の基地局がサービスするエリアから第2の基地局がサービスするエリアに移動する場合に、ハンドオフが生じる。この場合、移動局と第1の基地局との間のコネクションは切断され、移動局と第2の基地局との間のコネクションが改めて設定される。ハンドオフはしばしばハンドオーバとも呼ばれる。
【０００３】
ソフトハンドオフによるハンドオフの場合、基地局及び移動局間の通信は一方の基地局から他方の基地局へ瞬時には移行せず、第1の基地局との通信が切断される前に、ソフトハンドオフ期間の間、移動局は第1の基地局及び第2の基地局双方と通信する。
【０００４】
ソフトハンドオフは従来のハンドオフを上回る多くの利点を有するが、周波数分割多重方式のネットワークにおいて、特に直交周波数分割多重接続（OFDMA）ネットワークにおいて実現することは困難である。従来、OFDMAシステムにおけるソフトハンドオフは、同じスクランブルコードを使って同じOFDMA空間内の同じ情報を送信する1つより多い数の基地局により実現される。そのような場合、例えば、2つの異なるエンティティにより、同じ周波数が同時に同じ場所で（例えば、1つの基地局の範囲内で）使用されてしまうことを回避するために、どのリソース空間がソフトハンドオーバに使用されるかを管理する必要がある。そのような管理及び制御は、セントラル化されたリソースコントローラを必要とし、非常に複雑化してしまう。特に、セントラル化されたスケジューリングは、複数の基地局の間において、ソフトハンドオフに使用される通信リソース（時間−周波数空間）を干渉を回避するように管理する必要があり、これは非常に複雑である。さらに、移動局がソフトハンドオーバ及びそのパラメータを意識する必要があり、これは非常に多くの通信オーバーヘッドを招いてしまう。特に、ソフトハンドオフの状況が頻繁に生じるマイクロセルやピコセルのネットワーク等のような高密度のネットワークの場合、そのような問題は特に深刻になる。
【発明の概要】
【発明が解決しようとする課題】
【０００５】
以上のように、ソフトハンドオフをよりいっそう効率的に実現するOFDMA通信における改善を行うことが、当該技術分野において望まれていることが分かる。
【課題を解決するための手段】
【０００６】
一実施例による方法は、
装置によって実行される方法であって、
a．ソフトハンドオフの期間でない場合に、複数のサブキャリア成分を有する周波数分割多重信号である第1の信号を送信し、
b．ソフトハンドオフの期間において、複数のサブキャリア成分を有する拡散スペクトル周波数分割多重信号である第2の信号を、複数の周波数サブキャリアにより送信するステップ
を有する方法である。
【図面の簡単な説明】
【０００７】
【図１】非限定的な実施例によるホモジニアスゾーンを有する周波数分割多重ネットワークを示す図。
【図２】非限定的な実施例による基地局に利用可能な通信リソース全体を示す図。
【図３】図1に示すホモジニアスゾーンの一部を示す図。
【図４】非限定的な実施例によるソフトハンドオーバに含まれる方法のフローチャート。
【図５】図2のホモジニアスゾーンにおける基地局のブロック図を示す図。
【図６】図2のホモジニアスゾーンにおける移動局のブロック図を示す図。
【発明を実施するための形態】
【０００８】
本発明の第1形態による方法は、装置によって実行される方法であり、ソフトハンドオフの期間でない場合に、いくつものサブキャリア成分を有する周波数分割多重信号である第1の信号を送信する。本方法は、ソフトハンドオフの期間において、複数の第2の周波数サブキャリアにより第2の信号を送信する。第2の信号は、いくつものサブキャリア成分を有する拡散スペクトル周波数分割多重信号である。
【０００９】
本発明の第2形態による装置は、通信ネットワークにおいて使用される。本装置は、通信インターフェースと該通信インターフェースにより通信する処理要素とを有する。処理要素は、ソフトハンドオフの期間でない場合に、いくつものサブキャリア成分を有する周波数分割多重信号を、通信インターフェースが送信することを引き起こす。さらに処理要素は、ソフトハンドオフの期間において、いくつものサブキャリア成分を有する拡散スペクトル周波数分割多重信号を、通信インターフェースが送信することを引き起こす。
【００１０】
本発明の第3形態による方法は、装置により実行される方法であり、ソフトハンドオフの前に、いくつものサブキャリア成分を有する周波数分割多重信号である第1の信号を受信する。さらに本方法は、ソフトハンドオフの後に、いくつものサブキャリア成分を有する周波数分割多重信号である第2の信号を受信する。さらに本方法は、ハンドオフの期間において、いくつものサブキャリア成分を有する拡散スペクトル周波数分割多重信号である第3の信号を受信する。
【００１１】
本発明の第4形態による装置は、通信ネットワークにおいて使用される。本装置は、信号を受信する入力インターフェースと該入力インターフェースにより通信する処理要素とを有する。処理要素は、ソフトハンドオフの期間でない場合に、入力インターフェースにより受信した第1の信号を復調し、その第1の信号は、いくつものサブキャリア成分を有する周波数分割多重信号である。さらに処理要素は、ソフトハンドオフの期間において、入力インターフェースにより受信した第2の信号を逆拡散及び復調し、その第2の信号は、いくつものサブキャリア成分を有する拡散スペクトル周波数分割多重信号であり、逆拡散は拡散コードを用いて実行される。
【００１２】
本発明の第5形態による方法は、ハンドオフの状況を検出する前に、いくつものサブキャリア成分を有する周波数分割多重信号である第1の信号を検出する。本方法は、ハンドオフの状況を検出する。さらに本方法は、ハンドオフの状況を検出した後に、いくつものサブキャリア成分を有する拡散スペクトル周波数分割多重信号である第2の信号を送信する。
【００１３】
本発明に関するこれら及び他の形態並びに特徴は、以下の詳細な説明及び添付図面を参照することで当業者にとってさらに明らかになるであろう。
【００１４】
本発明の詳細な実施例は添付図面と共に説明される。
【００１５】
図面における本発明の例は単なる例示にすぎない。説明及び図面は例示及び理解を促すためのものにすぎず、本発明を限定することは決して意図されていない。
【実施例１】
【００１６】
図1は第1の非限定的な例によるOFDMAネットワーク100を示す。OFDMAネットワーク100は、複数の基地局110を有し、複数の基地局の各々は各自のサービスエリア115をカバーしており、これらは移動局120との通信を確立する。OFDMAネットワーク100は、直交周波数分割多重信号を用いて少なくとも1つの移動局と通信する複数の基地局110を含む如何なるネットワークでもよく、その移動局は、複数の基地局110の内の少なくとも2つの内の何れかのサービスエリア115内に所与の時間に見出されたものである。
【００１７】
OFDMAネットワーク110における通信は、周波数分割多重方式により行われる。すなわち、周波数スペクトルが複数のサブキャリアに分割され、データは、いくつもの複数の周波数サブキャリアにより並列ストリームで送信される。したがって、OFDMAネットワーク110において送信される1つの信号は、いくつものサブキャリア成分を有する。ここで示される例の場合、OFDMAネットワーク110は、直交周波数多重アクセス通信（OFDMA）を実現し、基地局110の各々が、一部の周波数サブキャリアを個々の移動局120に割り当てることで、多重アクセスが実現される。しかしながら、ネットワークはOFDMAでないOFDM方式でもよく、その場合多重アクセスは時間分割多重方式等を利用する適切な如何なる手段によって実現されてもよい。あるいは、移動局120が1台しかなかった場合、多重アクセスは全く実現されなくてもよい。
【００１８】
OFDM又はOFDMAが使用されるか否かによらず、OFDMAネットワーク110において通信される信号は、時間分割多重方式によるものでもよい。時間分割多重方式の場合、時間が1つの一連の反復的な時間フレームに分割され、反復的な時間フレームは、相対的に一定の場所に位置する複数のタイムスロットを含む。時間分割多重信号には1つ以上のタイムスロットが割り当てられ、反復的な時間フレーム各々における各自のタイムスロットの間でのみ送信される。OFDMAネットワーク110の場合、各基地局の通信リソース全体は周波数サブキャリア及び選択的にタイムスロットに分割され、ネットワークを介して通信される信号に、周波数サブキャリア及びタイムスロットが割り当てられるようにする。他の信号は、同じ周波数サブキャリアだが異なるタイムスロットにより送信される、あるいは同じタイムスロットの異なるサブキャリアで送信される。多重アクセスは、二次元的な通信リソースにより行われる。
【００１９】
本願において使用される「通信リソース（transmission  resource）」という用語は、他の信号と異なる方法で通信することを可能にする任意の信号形態に関する。したがって、通信リソースは、周波数サブキャリア、タイムスロット、空間的な位置及びCDMAコード（符号）等を含む。このような形態の各々は、通信リソースが分割される次元又は空間を規定する。例えば図2に示されるように、通信リソースは二次元空間内で規定されており、一方の次元は周波数サブキャリアであり、他方は時間スロットである。この二次元空間において、通信リソースは周波数及び時間の座標を含むセグメントに分割され、セグメントの各々を信号に割り当てることができる。CDMA符号の座標又は空間的制約とともに信号を追加的に分割することで、通信リソース空間に追加的な次元を加えることができる。
【００２０】
図示の特定の例において、OFDMAネットワーク110は固定基地局110を含み、固定基地局各々は一定の形状、サイズ及び位置にあるサービスエリア115を有する。しかしながら、基地局110も移動可能であってよく、それら各々がサービスするサービスエリアも可変でよいことが、理解されるべきである。例えば、代替例において、基地局110は地上の移動局120に対して移動する非静止衛星でもよい。あるいは、基地局110は各自の送信／受信ハードウェアの受信強度／感度を変更し、それらがカバーするサービスエリア115が時間とともに変化するようにしてもよい。これらの何れの場合においても、移動局120は事実上地理的に固定されてもよく、サービスエリア115に対して単に移動してもよく、あるいはOFDMAネットワーク110の基地局110に対して移動してもよい。
【００２１】
基地局110及び移動局120は、何らかの構造やアプリケーションに限定されるものではなく、本願で説明されるように動作する任意のネットワーク要素とすることができることが理解されるべきである。同様にネットワーク100は、何らかの特定の形式のネットワークに限定されない。例えば、基地局110は無線ローカルエリアネットワーク（LAN）におけるアクセスポイントの形式を採用してもよい。この例の場合、OFDMAネットワーク110は無線LANであり、コンピュータ、IPセルラ電話又は他の装置の形式の1つ以上の移動局120が存在してもよい。あるいは、基地局110は、セルラ電話を移動局120として包含するセルラ電話網のセルラ電話基地局でもよい。
【００２２】
基地局110はインターフェースを介して移動局120と通信する。基地局110は、無線周波数電波として信号を送信するアンテナを有し、あるいはアンテナ又はアンテナ構成要素と通信するインターフェースを単に有するだけでもよい。図5は特定の基地局500の非限定的な例を示す。インターフェースは、移動局120宛の信号を送信する。一実施例において、特定の基地局500は、送信インターフェース510及び受信インターフェース535を介してアンテナ520に接続される。送信インターフェース510は出力信号をアンテナに供給し、受信インターフェース535はアンテナからの入力信号を受信する。当然に、2つのインターフェース各々は、各自自身のアンテナを所有していてもよいし、1つの部品に統合されてもよい。特定の基地局500は処理要素505により制御され、処理要素は、送信インターフェースと通信し、本願において説明される動作を実行する。各基地局は、他の基地局又は他のネットワーク要素（例えば、中央サーバ、セントラル化されたサーバ）と通信することが可能であり、図示されている例の場合、特定の基地局500はそのような通信のためのネットワークインターフェース515を有する。特定の基地局500は、後述するように機能するメモリ要素545及び550を伴うメモリ540を有する。
【００２３】
各移動局120は基地局110から信号を受信する入力インターフェースを有する。図6に示す例の場合、特定の移動局600は、アンテナ620に接続され、基地局110に信号を送信する送信インターフェースを有する。特定の移動局600は、アンテナから信号を受信する受信インターフェースを有する。この場合も、個々のアンテナがインターフェース各々に設けられてもよいし、これらのインターフェースが統合されてもよい。特定の移動局600は、インターフェースに接続され本願による動作を実行する処理要素605により制御される。特定の移動局600は、後述するように機能するメモリ要素645及び650を伴うメモリ640を有する。
【００２４】
図示されているように、OFDMAネットワーク110はホモジニアスゾーン（homogeneous  zone）105を含む。特に図示の例の場合、ホモジニアスゾーン105は、多数のハンドオフが予想されるOFDMAネットワーク110の一部を含む。特に、ホモジニアスゾーン105は、予想される多数の移動局120を収容するために高い密度で基地局110が設けられているマクロセルやピコセルのネットワークエリアである。例えば、ホモジニアスゾーン105は、高密度の市街地領域、電車の駅又はショッピングモールをカバーするワイドレンジ通信ネットワークの一部である。しかしながら、ホモジニアスゾーン105はOFDMAネットワーク110の任意の一部分であり、基地局110が高密度であるものに限られないことが、理解されるであろう。さらに、ホモジニアスゾーン105はOFDMAネットワーク110全体を含んでもよい。
【００２５】
ホモジニアスゾーン105は、エアインターフェースのチャネライゼーションを規定するゾーン固有のシグネチャを共有する複数の基地局110を含む。例えば、ホモジニアスゾーン105内の基地局110各々は、共通のスクランブリングコード及びサブチャネル構造を共有してもよい。ホモジニアスゾーン105内では、ソフトハンドオフを促す通信方式が実現される。
【００２６】
図2は、第1の基地局110Aが利用可能な送信リソース200の全体を示し、第1の基地局110Aが通信可能な周波数サブキャリアの範囲、及び時間が分割されている時間スロット215の範囲により規定されている。信号を搬送することが可能な最小の単位又は「ピクセル」は、1つの周波数サブキャリア及び1つのタイムスロットの組み合わせによる単位又はユニット225である。通信リソースブロック220の一組、セット又は一部分215は、通信リソース210全体の内の一部（第1の基地局110Aが利用可能なもの）を占める。後述するように、セット215内の通信リソースブロック220は、セット215以外では使用されない拡散コードを用いた通信用に確保されている。基地局110は、セット215内の通信リソースブロック220各々の指標（indication）を格納するメモリ要素を有する。通信リソースブロック220は、周波数サブキャリア及びタイムスロットによる少なくとも1単位（1ユニット）225を有する。図示の例の場合、通信リソースブロック220の各々は9個のユニット225を含み、3つの異なる周波数サブキャリアにおける3つのタイムスロットを表す。ホモジニアスゾーン105に属する全ての基地局110が、通信リソース全体の内の同じ範囲を有することは必須でなく（例えば、ある基地局110は、別のものよりも広い範囲の周波数で送信してもよい）、ホモジニアスゾーン105に属する全ての基地局110は、通信リソースブロックのセットの情報を共有し、そのセットにより通信を行うことができる。
【００２７】
目下の例において、ホモジニアスゾーン105内で通信される信号は、通信リソースのセット215の完全に内側で送信されてもよいし、セット215の完全に外側で送信されてもよい。信号がセット215の中で送信される場合、信号を搬送する1つの通信リソースブロック220である。代替例において、複数の通信リソースブロック220又は一部の通信リソースブロック220が、1つの信号に割り当て可能であることが、理解されるであろう。
【００２８】
図示の例の場合、ホモジニアスゾーン105における基地局110は、OFDMA及びTDMAの組み合わせを用いて通信を行い、通信リソース200の全体は、周波数サブキャリア及びタイムスロットの二次元にわたって規定される。しかしながら、基地局110は、通信リソースブロックのセット215の内側だけ又は外側だけでTDMAを使用しなくてもよいし、あるいはTDMAのみを使用してもよいことが、理解されるであろう。したがって、第1の基地局110Aにとって利用可能な通信リソース全体は、一次元の全体でもよいし、部分的でもよい。特定の実施例において、TDMAが通信リソースブロック220において使用されない場合、通信リソースブロック220は周波数サブキャリアのみである。別の例において、範囲204内の周波数サブキャリア全体についてTDMAが使用されてもよく、通信リソースブロック220のセット215は、周波数サブキャリア全体ではあるが1つ又は複数個の特定のタイムスロットに拡張されてもよい。
【００２９】
セット２１５内の通信リソースブロック220各々は、セット215が通信リソース200全体の内の連続的な部分を形成するようにクラスタ状に示されているが、通信リソースブロック220は、通信リソース200全体の内の任意の部分を占めてもよく、連続的に構成されることは必須でないことが、理解されるであろう。さらに、通信リソースブロック220各々は連続的なセグメントのユニット225として示されているが、個々の通信リソースブロック220は、それらが不連続的なセグメントを形成するように隣接していないユニットを形成してもよい。さらに、通信リソースブロック220の各々は同じ大きさを有するように示されているが、代替例において、異なる通信リソースブロック220が、等しい帯域幅の情報を搬送する異なる大きさであってもよいし、異なる帯域幅に対応する異なる大きさであってもよいことが、理解されるであろう。後者の場合、異なる通信リソースブロック220は、予約されたタイプの通信に使用されてもよい。簡易な例の場合、セット215は1つの通信リソースブロック220のみを含んでもよいことが、理解されるであろう。
【００３０】
OFDMゾーン230は、セット215によっては占有されていない通信リソース全体200の内の一部分である。ホモジニアスゾーン105内の基地局110は、OFDMAネットワークの直交周波数分割多重方式にしたがって、OFDMゾーン230において通信を行う。しかしながら、セット215内の通信リソースにより通信する場合、基地局110は追加的に拡散コードを使用して、信号をエンコード、符号化又は「拡散」する。したがって、通信リソースブロック220により通信される信号は、拡散スペクトル周波数多重信号となり、拡散コードとともに拡散され、OFDMゾーン230内で送信されていた場合よりも広い帯域幅を占める。通信リソースブロック220を介して通信する場合に信号を符号化する目的は、復元不可能な干渉を引き起こすことなしに、任意の通信リソースブロック220を占める際に複数の信号を許容するためである。この目的のため、適切な任意の符号分割多重化方式が、通信リソースブロック220による通信に使用されてもよい。非限定的な例として、CDMA−OFDMを利用して、セット215内の通信リソースブロック220により通信する一方、OFDMAがOFDMゾーン230において使用される。
【００３１】
以下においてさらに説明されるように、通信リソースブロック220において拡散コードを利用することは、ソフトハンドオフの改善をもたらす。セット215内の通信リソースブロック220により通信する場合にハンドオフを行うことが好ましく、OFDMゾーン230における通信がハンドオフでない状態のために確保されていることが好ましい。しかしながら、一実施例において、セット215内の通信リソースブロック220が、ソフトハンドオフ用に排他的に確保され、目下の例の場合、ハンドオフでない通信は通信リソースブロック220により行われるが、ソフトハンドオフには通信リソースブロック220に対して高い優先度が付与されるようにしてもよいことが、理解されるであろう。
【００３２】
非限定的な例において、ホモジニアスゾーン105内の基地局110は、所定のサイズの通信リソースブロック220に対応する拡散コードを用いて、セット215の通信リソースブロック220により通信する。この例の場合、使用される拡散コードは、所定の直交性を満たすものとして知られている一群の拡散コード（プール）の中から選択される。プール内の拡散コードの直交性により、符号分割多重方式の原理にしたがって、複数の信号は、異なる拡散コードを使用することで、同じ通信リソースブロックにより適切に送信できるようになる。
【００３３】
非限定的な例において、ホモジニアスゾーン105内の移動局120は、拡散コードのプールの中の特定の拡散コードに関連付けられる。この例の場合、移動局120がホモジニアスゾーン105に入った場合、移動局に拡散コードが割り当てられ、移動局はホモジニアスゾーン105を立ち去る少なくともその時点まで、移動局はその拡散コードを保持する。移動局120は、基地局110のような任意の適切なエンティティから拡散コードの割り当てを受け、その基地局はホモジニアスゾーン105内で移動局が最初に通信したエンティティである。基地局110は、何らかの適切な方法で移動局120の拡散コードを選択し、例えば拡散コードのプールの中からランダムに選択し、移動局がセット内の通信リソースブロック220による通信に使用する拡散コードを指定する命令を、移動局120に送信する。目下の例の場合、各移動局120は、移動局120の拡散コードを保存するメモリ要素を有する。
【００３４】
拡散コードに加えて、基地局110及び移動局120は、既存の方法にしたがって信号を送信するのに先立って、信号にスクランブル処理を施す。スクランブル処理又はスクランブルは、雑音耐性、盗聴防止耐性、又は他の移動局120や基地局110との相互干渉耐性等を高めるために行われる。目下の例の場合、移動局120の各々には各自のスクランブリングコードが割り当てられており、スクランブリングコードは、大きな擬似乱数であってもよく、移動局に永続的に又は半永続的（準永続的）に割り当てられていてもよい。移動局各々に関し、スクランブリングコードが移動局120のメモリ要素に保存可能である。スクランブルされた2つの信号の相互干渉は、そのようなスクランブリングコードとともに信号をスクランブルし、受信の際にデスクランブリングすることで効果的に対処できる。移動局120と通信する基地局110には、各自のスクランブリングコードが割り当てられていてもよいし、あるいは基地局が通信する移動局のスクランブリングコードを使用してもよい。基地局110は、OFDMゾーン230における通信をスクランブルし、セット215内の通信リソースブロック220により通信する、又は双方を行う。目下の例の場合、移動局120の各々は、基地局が既知のスクランブリングコードを有し、これは基地局110とのアップリンク及びダウンリンクの通信双方に使用可能である。このため、基地局110は移動局120のスクランブリングコードを保存するメモリ要素を有する。あるいは、基地局110及び移動局120の各々が各自のスクランブリングコードを有し、各自が相手の（又は代替的に自身の）スクランブリングコードを用いて送信する信号をスクランブルする。自身のスクランブルコードを有する基地局110又は移動局120は、例えば規則的な時間間隔でそれをブロードキャストし、通信相手となる可能性のある者が、送信する信号をスクランブルし及び／又は受信した信号をデスクランブルできるようにする。
【００３５】
図3は、第1の基地局110A、第2の基地局110B及び第3の基地局110C  である3つの基地局110を含むホモジニアスゾーン105の一部を示す。基地局110は各自のサービスエリア115を有し、第1のサービスエリア115Aは第1の基地局110Aに対応し、第2のサービスエリア115Bは第2の基地局110Bに対応し、第3のサービスエリア115Cは第3の基地局110Cに対応する。サービスエリア115は重複した領域を含み、特に、第1のサービスエリア115Aが第2のサービスエリア115Bと重複している重複領域115AB、第2のサービスエリア115Bが第3のサービスエリア115Cと重複している重複領域115BC、第1のサービスエリア115Aが第3のサービスエリア115Cと重複している重複領域115AC、及び第1のサービスエリア115A、第2のサービスエリア115B及び第3のサービスエリア115Cが全て重複している重複領域115ABCが示されている。重複領域において、移動局120は、重複しているサービス領域115の何れの基地局によっても通信できる。したがって、重複領域115ABの移動局120は、第1の基地局110A又は第2の基地局110Bにより通信できる。
【００３６】
非限定的な例によるソフトハンドオフ法を図3及び図4を参照しながら説明する。ステップ405において、第1の移動局120が、第1の基地局110Aのサービスエリア115内のホモジニアスゾーン105に入る。例えば、第1の移動局120が、第1の基地局へハンドオフした場合、又は第1のサービスエリア115A内で電源投入した等の場合である。第1の基地局120を検出すると、ステップ410において、第1の基地局は、拡散コードのプールの中から第1の拡散コードを選択し、それを第1の移動局120Aに割り当てる。この例の場合、第1の基地局110Aは、自ら第1の拡散コードを選択及び割り当てているが、代替例の場合、これは基地局110Aと通信する他のネットワークエンティティにより実行されてもよい。
【００３７】
ステップ415において、第1の移動局120A及び第1の基地局110Aは、OFDMゾーン230における通信リソースによる通信を行う。この通信の一部として、第1の基地局110Aは周波数分割多重信号を送信し、周波数分割多重信号は、目下の例の場合OFDMA方式にしたがって送信され、第1の移動局120Aにより受信される。基地局から送信される周波数分割多重信号は、第1のデータストリング（第1のデータ列）から基地局によって生成されたものであり、第1のデータストリングは、周波数分割多重されるデータであり、第1の移動局120Aに送信される。第1のデータストリングは、ネットワークインターフェースから発せられ、他のネットワーク要素から受信したものである。第1のデータストリングは、順方向誤り訂正（FEC）符号化のような誤り訂正符号化の処理に委ねられる。あるいは、第1のデータストリングはそのように符号化されて受信される。この段階において、第1の移動局120は第1のサービスエリア115A内に在圏しているが、重複領域には在圏しておらず、したがってハンドオフ条件を満たしていない。あるいは、第1の移動局120Aは、第1の基地局が受信する周波数分割多重信号を送信する。目下の例の場合、第1の移動局120A及び第1の基地局110AはOFDMゾーン230において通信し、ハンドオフ条件を満たしていないが、ハンドオフ条件を満たしていないことにかかわらず、これらはセット215の通信リソースブロック220により通信できることが、理解されるべきである。
【００３８】
ステップ420において、第1の移動局120Aは、図3の矢印130で示されているように重複領域115ABに向かって移動する。
【００３９】
ステップ425において、第1の移動局120Aが重複領域115ABにいることが認識され、ハンドオフ状態が検出される。この例の場合、第1の基地局110Aは、第1の移動局120Aから受信した情報に基づいて、ハンドオフ状態を検出する。より具体的には、第1の移動局120Aは、第2の基地局110Bからの信号も受信しており、そのような信号を発見したことを第1の基地局110Aに報告する。例えば、第2の基地局110Bがパイロット信号を送信した場合又はスクランブリングコードをブロードキャストした場合、何れかが第1の移動局120A2より検出される。そのような信号を検出したこと、及び選択的に関連する信号強度は、第1の移動局120Aから第1の基地局110Aへ送信され、第1の基地局110Aがハンドオフ状態を検出できるようにする。別の例において、第1の基地局110Aは別のソースから受信した情報に基づいてソフトハンドオフを検出してもよく、例えば別のソースは、ホモジニアスゾーン105内の基地局110を監視している中央サーバ又は別の基地局110等である。代替例において、第1の移動局120Aは、サービスエリア115Bに入ると、第2の基地局110B2より検出される。例えば、第1の移動局120Aが自身のスクランブリングコードを規則的にブロードキャスト送信していた場合、第2の基地局110Bがそのブロードキャストを検出し、第1の移動局120Aのアンカー基地局（第1の移動局120Aが通信範囲内にいる基地局）（この場合、第1の基地局110A）に通知する。この代替例において、各基地局110は、隣接する基地局に、各自のサービスエリア115の移動局120が使用しているスクランブリングコードを通知し、隣接する基地局110が特定のスクランブリングコードを監視しさえすればよいようにする。
【００４０】
ステップ430において、第1の基地局110Aは、第1の移動局120Aとの通信が、セット215内の第1の通信リソースブロック220’に変わるようにする。第1の通信リソースブロックは、適切な任意の方法によって、例えばランダムに第1の基地局110により選択されてもよいし、あるいは中央サーバにより割り当てられてもよい。この処理は、第1の基地局110A及び第1の移動局120Aが、セット215内の通信リソースブロック220によりもはや通信していない場合にのみ行われる。
【００４１】
この段階において、ステップ435により示されているように、第1の基地局110A及び第1の移動局120Aは、今や拡散コードを用いて通信している。第1の基地局110Aは、第1の拡散コードを用いて逆拡散が可能な拡散スペクトル周波数分割多重信号である通信信号を送信しており、目下の例の場合、第1の拡散コードは、拡散コードのプールの中から予め選択されており、第1の移動局120Aに割り当てられている。基地局は、第2のデータストリングに基づいて拡散スペクトル周波数分割多重信号を生成し、第2のデータストリングは、ネットワークインターフェースから発せられ、別のネットワーク要素から受信したものである。目下の例の場合、第2のデータストリング及び第1のデータストリングは、ともに同じ通信セッションに関連している。この例の場合、拡散スペクトル周波数分割多重信号は、ステップ415において送信されていたOFDMA信号よりも広い帯域幅を占めるCDMA−OFDMA信号である。第1のデータストリングと同様に、第2のデータストリングは、順方向誤り訂正（FEC）のような誤り訂正符号化に委ねられる。あるいは、第2のデータストリングはそのように符号化されて受信されてもよい。選択的に、第1の移動局120Aは、拡散コードにより（すなわち、同じ第1の拡散コードにより、又は第1の拡散コードに関連する異なる拡散コードにより）逆拡散可能な拡散スペクトル周波数分割多重信号を、第1の基地局110Aに送信する。目下の例の場合、第1の基地局110A及び第1の移動局120A間のCDMA−OFDMA通信は、以下のステップを有する：第1のデータが順方向誤り訂正符号化（FEC）される、次に、第1の拡散コードを用いて第1の通信リソースブロック220’にわたって拡散され、そして、サブキャリアによる送信前にスクランブルされる。
【００４２】
ステップ440において、第2の基地局110Bは、第1の拡散コードを用いて第1の移動局120Aと通信するように指示を受ける。目下の例の場合、第2の基地局110Bは、第1の基地局からそうするように指示を受け、第1の基地局は、第1の拡散コードを含む命令信号を第2の基地局110Bに送信する。命令信号は、第1の通信リソースブロック220’を示す指標を含み、その第1の通信リソースブロックにより第1の基地局110Aは第1の移動局120Aと通信する。目下の例の場合、命令信号は第1の移動局120Aのスクランブリングコードをも含んでいるが、代替例の場合、第2の基地局110Bは、第1の移動局120A自身によるブロードキャスト信号から、第1の移動局120Aのスクランブリングコードを取得してもよい。
【００４３】
この段階において、ステップ445により示されているように、第2の基地局110Bは、第1の移動局120Aと通信するのに必要な情報を有し、第1の基地局110Aは第1の移動局120Aと通信しているのと同じ第1の通信リソースブロック220’を用いて、第1の移動局120A宛て信号を送信し始める。
【００４４】
第2の基地局110Bからの信号は、第1の基地局110A及び第1の移動局120Aの間で使用されているものと同じコードにしたがって拡散されスクランブルされている。有利なことに、第1の基地局110A及び第2の基地局110Bの間を管理し、第1の移動局120Aと通信するための双方の基地局110にとって未使用の適切な周波数を探す必要はない。実際、第1の通信リソースブロック220’による通信は、第1の拡散コードにより拡散されているので、第2の基地局110Bがその第1の通信リソースブロック220’により別の移動局120とすでに通信していたとしても、第1の移動局120Aとの通信は、符号分割多重されているので、干渉を受けない。
【００４５】
図3を再び参照するに、第2の移動局120Bは、第3の基地局110Cから重複領域115BCへ入り、上述したのと同様な状態を引き起こす。第2の移動局120Bが、重複領域115BCへ入った際に、同じ第1の通信リソースブロック220’により通信していた場合、第2の基地局110Bは、第1の移動局120A及び第2の移動局120Bの双方と同じ第1の通信リソースブロック220’を用いて通信することができる。なぜなら、第1の移動局120A及び第2の移動局120Bは、異なる拡散符号を使っているからである。さらに、拡散コードが衝突した場合、第1の移動局120A及び第2の移動局120Bがたまたま同じ拡散符号の割り当てを受けていた場合でも、各自のスクランブリングコードが2つの移動局120同士の干渉をランダム化し（解消し）、したがって処理利得を維持し、比較的干渉が少ない通信を可能にする。
【００４６】
ステップ450において、第1の移動局120Aが重複領域115ABを立ち去り（サービングエリア115B内に残り）、第1の基地局110A及び第1の移動局120A間の通信が終了する。ステップ455において、第2の基地局110Bは、OFDMゾーン230による第1の移動局120Aとの通信を選択的に移管又は転送する。
【００４７】
第1の基地局110Aは、相互に使用可能な通信リソースに関する交渉（ネゴシエーション）を最初に行うことなく、第1の移動局120Aと通信するように第2の基地局110Bに命令できるので、ソフトハンドオフのためのセントラル化されたスケジューリングの必要性を排除できる。したがって、ホモジニアスゾーン105はフラット構造（flat  structure）を使用することができ、分散したソフトハンドオフスケジューリングを実現できる。あるいは、セントラル化されたスケジューラを用意することもできるが、そのようなスケジューラは従来のOFDMネットワークにおいて必要とされていたものよりもかなり簡易である。そのようなセントラル化されたスケジューラは、ソフトハンドオフに使用される通信リソースブロックを決定し、起動される基地局110に通知する。スケジューラは、使用する通信リソースブロックを非常に簡易に決定することができる。なぜなら、任意の所与の時間に任意の基地局110により唯1つの通信リソースブロック220が使用されることを保証する必要がないからである。
【００４８】
本システムは簡易な本来の「ハード」ハンドオフを可能にする。上記の例の場合において、ハードハンドオフが行われる場合、第1の基地局110Aは、第1の移動局120Aを第2の基地局110Bへハンドオフすることができ、第2の基地局が第1の移動局120Aと通信するための第1の通信リソースブロック220’を第2の基地局110Bに通知し、第1の移動局120Aのスクランブリング及び拡散コードを通知する今年か必要としない。第2の基地局110Bは、ソフトハンドオーバの場合と比較して、他の移動局120と干渉する危険性が十分少ない状態で第1の移動局120Aと速やかに通信できる。ソフトハンドオフに関して上述した同様な分散スケジューリング又は簡略化されたセントラル化されたスケジューリングにより、ハードハンドオフが実現可能なことが理解されるであろう。
【００４９】
目下の例の場合、移動局120が基地局からハンドオフの指示を受信した場合、移動局は、移動局120自身の拡散コード及びスクランブリングコードを用いて基地局110と通信する。移動局120及び基地局110間の通信がOFDMゾーン230に実質的に変わった場合、基地局110のパイロットトーンは、基地局が既に認識している移動局120のスクランブリングコードを用いて変調される。移動局120のスクランブリングコード及び拡散コードは、変更されないまま残り、ハンドオフは移動局120にとって透明である。
【００５０】
別の例において、上記のシステムは移動局120側により多くの責務を持たせることで修正されてもよい。特に、上記の例において、第1の基地局110Aが、（第1の移動局120Aから、第2の基地局110Bから又はセントラル化されたコントローラから取得した情報により）、ソフトハンドオフ状態を検出する責務を有していたが、この処理は第1の移動局120Aが行ってもよい。第1の移動局120Aは、ハンドオフの通信に関する通信リソースブロック220を選択する処理を任される。なぜなら、これは第2の基地局110Bを管理することなく実行されるからである。代替例において、第1の移動局120Aは、第2の基地局110Bを指図し、又は命令を第2の基地局110Bに送信し、特定の拡散コード及び／又はスクランブリングコードを用いて第1の移動局120Aと通信できるようにする。
【００５１】
以上、様々な実施例が説明されてきたが、これは説明を目的としたものであり、本発明を限定するものではない。様々な変形例は、当業者には明らかであり、添付の特許請求の範囲により規定されている本発明の範囲内に包含される。
【００５２】
本願は、34USC119（e）に基づいて2008年7月3日付でアメリカ合衆国に出願された米国仮出願第61／078，267号に基づく恩恵を享受し、その仮出願の内容全体は本願のリファレンスに組み入れられる。
【図１】
2011526439.tif 000003
【図２】
2011526439.tif 000004
【図３】
2011526439.tif 000005
【図４】
2011526439.tif 000006
【図５】
2011526439.tif 000007
【図６】
2011526439.tif 000008
【国際調査報告】
2011526439.tif 000009
2011526439.tif 000010